(57)【特許請求の範囲】
【請求項１】
衛星通信網のトポロジーを一つの中心局と複数のＶＳＡＴが通信を行うスター型とし、  上記中心局にＶＳＡＴ数と同数のモデムと、同数のＩＰルータを設け、
上記各ＶＳＡＴにそれぞれ１チャネルのモデムと１つのＩＰルータを設け、
上記中心局にＤＡＭＡコントローラを設け、
上記各ＶＳＡＴおよび中心局の各モデムにＤＡＭＡ接続部を設け、
中心局とＶＳＡＴ間のＣＳＣ（Ｃｏｍｍｏｎ  Ｓｉｇｎａｌｉｎｇ  Ｃｈａｎｎｅｌ）を介してＤＡＭＡ制御を行うことにより、上記ＶＳＡＴ−中心局間でダイナミックに通信回線の接続／切断を可能とする、
ことを特徴とするＳＣＰＣ衛星通信におけるＩＰネットワークシステム。
【請求項２】
上記中心局のモデムと、上記ＤＡＭＡ接続部と、上記ＩＰルータの数は、それぞれ同数ずつ設けられが、すべての上記ＶＳＡＴのモデム、ＤＡＭＡ接続部、ＩＰルータの数よりそれぞれ少ないことを特徴とする請求項１記載のＳＣＰＣ衛星通信におけるＩＰネットワークシステム。
【請求項３】
上記中心局の上記ＤＡＭＡコントローラは、ＣＳＣ回線用モデムと、ＤＡＭＡ制御部から構成され、上記ＶＳＡＴ側のＤＡＭＡ接続部もしくは上記中心局側のＤＡＭＡ接続部からの要求により任意のＶＳＡＴと中心局の任意のＨＵＢのモデムとの間の通信回線の割り当てと解放を管理する機能を有することを特徴とする請求項１記載のＳＣＰＣ衛星通信におけるＩＰネットワークシステム。
【請求項４】
上記各ＶＳＡＴのモデムは、上記中心局側の特定のモデムと固定的な回線確立はされておらず、転送すべきデータの有無に応じ、中心局が有する上記ＤＡＭＡコントローラの仲介でダイナミックに上記中心局のモデムの１つと通信回線が接続／切断されることを特徴とする請求項１記載のＳＣＰＣ衛星通信におけるＩＰネットワークシステム。
【請求項５】
上記中心局のモデムは、上記ＤＡＭＡコントローラによって管理され、シェアード構成とし、回線未使用状態の中心局のＨＵＢのモデムの中から任意の中心局のＨＵＢのモデムをＤＡＭＡコントローラが選択できる機構とすることを特徴とする請求項１記載のＳＣＰＣ衛星通信におけるＩＰネットワークシステム。
【請求項６】
上記中心局のＨＵＢ側のモデムの先に接続される各ＩＰルータは、地上側の一本のＬＡＮ７に接続され、一つの地上ネットワークを形成していることを特徴とする請求項１記載のＳＣＰＣ衛星通信におけるＩＰネットワークシステム。
【請求項７】
上記ＶＳＡＴ側の上記ＩＰルータは、複数の端末を接続した地上側のＬＡＮに接続され、ローカルネットワークを形成することを特徴とする請求項１記載のＳＣＰＣ衛星通信におけるＩＰネットワークシステム。
【請求項８】
上記各ＶＳＡＴは、１チャネルのモデムと、１つのＤＡＭＡ接続部と、一つのＩＰルータとを有することを特徴とする請求項１記載のＳＣＰＣ衛星通信におけるＩＰネットワークシステム。
【請求項９】
上記中心局のＨＵＢは、１チャネルのモデムと、一つのＤＡＭＡ接続部と、一つのＩＰルータとを有することを特徴とする請求項１記載のＳＣＰＣ衛星通信におけるＩＰネットワークシステム。
【請求項１０】
上記中心局側のＩＰルータは、データの目的アドレスより次に転送すべきＮＥＸＴホップルータを検索するためのルーティングテーブルと、自身が所属するネーットワーク上の各機器のＩＰアドレスとＭＡＣアドレスの対応を示すアドレス解決テーブルとを有し、各データに対する転送先を検索して、地上側のＬＡＮもしくは衛星向きのモデム側に該当データを移送する機能を有することを特徴とする請求項１記載のＳＣＰＣ衛星通信におけるＩＰネットワークシステム。
【請求項１１】
ＶＳＡＴ側のＩＰルータは、データの目的アドレスより次に転送すべきＮＥＸＴホップルータを検索するためのルーティングテーブルと、自身が所属するネーットワーク上の各機器のＩＰアドレスとＭＡＣアドレスの対応を示すアドレス解決テーブルとを有し、各データに対する転送先を検索して、地上側のＬＡＮもしくは衛星向きのモデム側に該当データを移送する機能を有することを特徴とする請求項１記載のＳＣＰＣ衛星通信におけるＩＰネットワークシステム。
【請求項１２】
上記中心局側のＩＰルータは、自局が回線を確立している衛星回線路に転送すべき通信データが無く、一定時間使用されなかった場合には衛星回線を切断するために、回線未使用時間を測定する切断タイマを有することを特徴とする請求項１記載のＳＣＰＣ衛星通信におけるＩＰネットワークシステム。
【請求項１３】
上記ＶＳＡＴ側のＩＰルータは、自局が回線を確立している衛星回線路に転送すべき通信データが無く、一定時間使用されなかった場合には衛星回線を切断するために、回線未使用時間を測定する切断タイマ有することを特徴とする請求項１記載のＳＣＰＣ衛星通信におけるＩＰネットワークシステム。
【発明の詳細な説明】
【０００１】
【発明の属する技術分野】
この発明は、ＳＣＰＣ（Ｓｉｇｎａｌ  Ｃｈａｎｎｅｌ  Ｐｅｒ  Ｃａｒｒｉｅｒ）衛星通信網において、上位プロトコルとしてＩＰを用い、ＶＳＡＴ（超小型地球局）にＩＰルータ機能を設け、各通信端末に繋がるローカルネットワークの相互接続を実現するＳＣＰＣ衛星通信におけるＩＰネットワークシステムに関する。
【０００２】
【従来の技術】
衛星通信ネットワークシステムにおいて、一つの中心局に複数の周辺局がスター型に配置されている衛星通信システムにおける周辺局間の通信方式に関しては、たとえば、特許公報第２９６４９３６号に開示されている。
この公報の場合は、中心局の第１衛星通信部に、上り衛星回線から任意の中心局地上ポートへのルーティング、任意の中心局地上ポートから下り衛星回線へのルーティング、上り衛星回線から下り衛星回線へのルーティング、および任意の中心局地上ポートから他の中心局地上ポートへのルーティングを実行するネットワークにおけるルーティング制御機能が組みこまれ、各周辺局の第２衛星通信部には、下り衛星回線から任意の周辺局地上ポートへのルーティング、任意の周辺局地上ポートから上り衛星回線へのルーティング、および任意の周辺局地上ポートからの周辺局地上ポートへのルーティングを実行するネットワーク層におけるルーティング制御機能が組み込まれていることが開示されている。
【０００３】
また、このような衛星通信ネットワークシステムにおいて、一つの中心局に複数の周辺局がスター型に配置されている衛星通信システムにおける周辺局間の通信方式の範疇に属するものとして、従来、ＳＣＰＣ衛星通信におけるＩＰネットーワークシステムに関して、ＳＣＰＣ型のＶＳＡＴ網上にＩＰパケットを通して、ＶＳＡＴ−ＶＳＡＴ間通信を行うことが知られている。
この場合のＳＣＰＣ衛星通信におけるＩＰネットーワークシステムでは、単に２つのローカルネットワーク（ＩＰルータ）を結ぶゲートウエイ的な用途であった。
【０００４】
【発明が解決しようとする課題】
この従来のＳＣＰＣ衛星通信におけるＩＰネットーワークシステムでは、膨大な数のローカルネットワークをメッシュに結ぶ目的に対して、各ＶＳＡＴにＩＰルータを接続し、衛星通信網側でＶＳＡＴ−ＶＳＡＴフルメッシュのデータ交換が行える構成とする必要がある。
しかし、この場合、各ＶＳＡＴには対向するＶＳＡＴの数（全ＶＳＡＴ数−１）だけモデム装置および通信チャネルを用意する必要があり、実質、各ＶＳＡＴに接続可能なローカルネットワークの数は各ＶＳＡＴに実装可能なモデム数によって制限され、ＳＣＰＣ型のＶＳＡＴ網上で実用的な大規模ＩＰネットワークを組むことが不可能であるという課題があった。
【０００５】
この発明は、上記従来の課題を解決するためになされたもので、ＳＣＰＣ型のＶＳＡＴ網においてＶＳＡＴ−ＶＳＡＴのフルメッシュ通信を行う場合に、必要となるＶＳＡＴ側のモデム数および使用衛星チャネル数が各局送受１個で済ませることができるＳＣＰＣ衛星通信におけるＩＰネットワークシステムを提供することを目的とする。
【０００６】
また、この発明は、ＤＡＭＡ機能を有するＳＣＰＣ型ＶＳＡＴ網に適応することにより、中心局に用意されるモデム数以上のＶＳＡＴネットワークを収容することができ、各ＶＳＡＴ配下の任意の端末がすべてのＶＳＡＴ配下の任意の端末とメッシュ通電を行うことができるとともに、使用モデム数、およびチャネル数をさらに軽減することができるＳＣＰＣ衛星通信におけるＩＰネットワークシステムを提供することを目的とする。
【０００７】
【課題を解決するための手段】
上記目的を達成するために、この発明のＳＣＰＣ衛星通信におけるＩＰネットワークシステムは、衛星通信網のトポロジーを一つの中心局と複数のＶＳＡＴが通信を行うスター型とし、上記中心局にＶＳＡＴ数と同数のモデムと、同数のＩＰルータを設け、上記各ＶＳＡＴにそれぞれ１チャネルのモデムと１つのＩＰルータを設け、上記中心局にＤＡＭＡコントローラを設け、上記各ＶＳＡＴおよび中心局の各モデムにＤＡＭＡ接続部を設け、中心局とＶＳＡＴ間のＣＳＣ（Ｃｏｍｍｏｎ  Ｓｉｇｎａｌｉｎｇ  Ｃｈａｎｎｅｌ）を介してＤＡＭＡ制御を行うことにより、上記ＶＳＡＴ−中心局間でダイナミックに通信回線の接続／切断を可能とすることを特徴とする。
【００１０】
そのため、各ＶＳＡＴよりのデータを、一旦発信元ＶＳＡＴに対向する中心局側ＩＰルータに転送し、中心局側の地上ＬＡＮ経由で宛先ＶＳＡＴに対向した中心局側の別ＩＰルータに再転送し、その後目的となるＶＳＡＴに向けて再度衛星回線経由でデータを転送するとともに、ＤＡＭＡ機能を有するＳＣＰＣ型ＶＳＡＴ網に適用し、中心局側および各ＶＳＡＴのＤＡＭＡ機能により、中心局側モデムおよび衛星チャネルを再利用して、ＶＳＡＴ側のＤＡＭＡ接続部もしくは中心局側のＤＡＭＡ接続部からの要求に応じて、任意のＶＳＡＴと任意の中心局モデムとの間に通信回線（通信帯域）の割り当ておよび解放を管理し、各ＶＳＡＴのモデムは中心局側の特定のモデムと固定的な回線確立はされておらず、転送すべきデータの有無に応じ、中心局が有するＤＡＭＡコントローラの仲介でダイナミックに中心局モデムの一つと通信回線が接続／切断されるようにしたので、中心局に用意されるモデム数以上のＶＳＡＴネットワークを収容することができ、各ＶＳＡＴ配下の任意の端末がすべてのＶＳＡＴは配下の任意の端末とメッシュ通電を行うことができるとともに、使用モデム数、およびチャネル数をさらに軽減することができる。
【００１１】
【発明の実施の形態】
次ぎに、この発明によるＳＣＰＣ衛星通信によるＩＰネットワークシステムの実施の形態について図面に基づき説明する。
図１はこの発明によるＳＣＰＣ衛星通信によるＩＰネットワークシステムの第１実施の形態の構成を示すブロック図である。
【００１２】
この図１に示す第１実施の形態では、衛星通信路は一つの中心局（ＨＵＢ）１の配下に複数のＶＳＡＴ（超小型地球局）２１〜２ｎが配置されるスター型ネットワークの形態を採っており、中心局１には配下のＶＳＡＴ２１〜２ｎの数に対応する分のモデム５１〜５ｎと、配下のＶＳＡＴ２１〜２ｎの数に対応する分のＩＰルータ６１〜６ｎが設けられている。
これらのモデム５１〜５ｎとＩＰルータ６１〜６ｎの組ごとにＨＵＢ＃１〜＃ｎが対応している。
各ＶＳＡＴ２１〜２ｎには、それぞれ１チャネルのモデム４１〜４ｎと一つのＩＰルータ３１〜３ｎが設けられ、各ＶＳＡＴ２１〜２ｎのモデム４１〜４ｎは中心局１側のモデム５１〜５ｎの一つと固定的に衛星通信回線が確立されている。
【００１３】
さらに、中心局１側の各モデム５１〜５ｎの先に接続される各ＩＰルータ６１〜６ｎは地上側で一本のＬＡＮ７に接続され、ＬＡＮ７には複数の端末８１〜８ｐが接続されて、一つの地上ネットワークを形成している。
また、各ＶＳＡＴ２１〜２ｎのＩＰルータ３１〜３ｎはそれぞれ地上側のＬＡＮ９１〜９ｎに接続され、ＬＡＮ９１〜９ｎにそれぞれ複数の端末１０１〜１０ｑ，１１１〜１１ｒ，２１２〜２１ｓ（ｐ，ｑ，ｒ，ｓはそれぞれ異なる数の場合もあり、あるいは等しい場合もある。）からなるローカルなネットワークを形成している。
【００１４】
中心局１側およびＶＳＡＴ２１〜２ｎ側の各ＩＰルータ６１〜６ｎ、３１〜３ｎはデータの目的アドレスより次に転送すべきＮＥＸＴホップルータを検索するためのルーティングテーブル(Ｒｏｕｔｉｎｇ  Ｔａｂｌｅ)と、自身が所属するネーットワーク上の各機器のＩＰアドレスとＭＡＣアドレスの対応を示すアドレス解決テーブル(Ａｄｄｒｅｓｓ  Ｒｅｓｏｌｕｔｉｏｎ  Ｔａｂｌｅ)を持ち、各データに対する転送先を検索し、地上側のＬＡＮもしくは衛星向きのモデム側に該当データを移送する機能を有する。
【００１５】
次ぎに、以上のように構成されたこの発明による第１実施の形態の動作について図２〜図１０を用いて説明する。
図２はこの第１実施の形態が適用されるＳＣＰＣ衛星通信におけるＩＰネットワークシステムの構成説明図である。
この図２において、各ＶＳＡＴ２１（ＶＳＡＴ＃１）〜ＶＳＡＴ２ｎ（ＶＳＡＴ＃ｎ）のモデム４１〜４ｎはそれぞれ中心局１側のモデム５１〜５ｎと固定的に回線設定が確立しているものとする。
【００１６】
図３は、図２の構成においてＶＳＡＴ２１（ＶＳＡＴ＃１）のＩＰルータ３１が保有するルーティングテーブルの内容を示し、図４はＶＳＡＴ２１（ＶＳＡＴ＃１）のアドレス解決テーブルの内容を示している。
同様に図５は中心局１のＨＵＢ＃１におけるＩＰルータ６１のルーティングテーブルの内容を示し、図６は中心局１のＨＵＢ＃１のアドレス解決テーブルの内容を示している。
図７は中心局１のＨＵＢ＃２のＩＰルータ６２のルーティングテーブルの内容を示し、図８は中心局１の ＨＵＢ＃２のアドレス解決テーブルの内容を示している。
さらに、図９はＶＳＡＴ２２（ＶＳＡＴ＃２）のＩＰルータ４２のルーティングテーブルの内容を示し、図１０はＶＳＡＴ２２（ＶＳＡＴ＃２）のアドレス解決テーブルの内容を示している。
【００１７】
これらの図３、図５、図７、図９の各テーブルにおいては、ＶＳＡＴ２ｎ（ＶＳＡＴ＃ｎ）のＩＰアドレス３ｎはＩＰ−Ａｄｄ＃Ｖｎ、ＭＡＣアドレスはＭＡＣ−Ａｄｄ＃Ｖｎと定義している。
同様に中心局１のＨＵＢ＃ｎのＩＰアドレスはＩＰ−Ａｄｄ＃Ｈｎ、ＭＡＣアドレスはＭＡＣ−Ａｄｄ＃Ｈｎと定義している。
また、ＶＳＡＴ２１（ＶＳＡＴ＃１）配下の端末１０１〜１０ｑのうち、端末Ｔ＃１のＩＰアドレスはＩＰ−Ａｄｄ＃Ｔ１、ＭＡＣアドレスはＭＡＣ−Ａｄｄ＃Ｔ１と定義している。
【００１８】
同じくＶＳＡＴ２２（ＶＳＡＴ＃２）配下の端末１１１〜１１ｒのうち、端末Ｔ＃２のＩＰアドレスはＩＰ−Ａｄｄ＃Ｔ２、ＭＡＣアドレスはＭＡＣ−Ａｄｄ＃Ｔ２と定義している。
また、ＶＳＡＴ２１（ＶＳＡＴ＃１）配下の端末１０１〜１０ｑのうち、端末Ｔ＃１のＩＰアドレス（ＩＰ−Ａｄｄ＃Ｔ１）はＶＳＡＴ２１（ＶＳＡＴ＃１）のローカルネットワークに属するアドレス形態にしたがっており、同様にＶＳＡＴ２２（ＶＳＡＴ＃２）配下の端末１１１〜１１ｒの端末Ｔ＃２のＩＰアドレス（ＩＰ−Ａｄｄ＃Ｔ１）はＶＳＡＴ２２（ＶＳＡＴ＃２）のＬＡＮ９２に属するアドレス形態にしたがって付与されているものとする。
【００１９】
ここで、上述の条件において、ＶＳＡＴ２１（ＶＳＡＴ＃１）配下の端末１０１〜１０ｑのうちの端末Ｔ＃１がＶＳＡＴ２２（ＶＳＡＴ＃２）配下の端末１１１〜１１ｒのうち端末Ｔ＃２とデータ通信する場合のデータ経路について以下に考える。
図２において、ＶＳＡＴ２１（ＶＳＡＴ＃１）配下のローカルネットワーク９１に接続されている任意の端末が、ＶＳＡＴ２２（ＶＳＡＴ＃２）配下のＬＡＮ９２に属する任意の端末宛にデータを発行する場合、該当データが持つデスティネーション
（目的）アドレスはＶＳＡＴ２２配下の端末のＩＰアドレス（この場合はＩＰ−Ａｄｄ＃Ｔ２）となっている。
【００２０】
この場合、データ発生する端末Ｔ＃１は端末Ｔ＃２宛のデータを衛星網ゲートウェイとして存在するＶＳＡＴ２１（ＶＳＡＴ＃１）のＩＰルータ３１(ＲＴ＃Ｖ１)に転送する。
このＶＳＡＴ２１（ＶＳＡＴ＃１）のＩＰルータ３１(ＲＴ＃Ｖ１)においては、図３のＩＰルータ３１が保有するルーティングテーブルを参照し、ＮＥＸＴホップルータを決定するが、ＩＰルータ３１(ＲＴ＃Ｖ１)の設定においてはデスティネーションネットワークが衛星網の先である場合、ＮＥＸＴホップルータはすべて中心局１のＨＵＢ＃１のＩＰルータ６１(ＲＴ＃Ｈ１)に設定されている。
【００２１】
これは、上述の通り、ＶＳＡＴ２１（ＶＳＡＴ＃１）のモデム４１（ＭＤ＃Ｖ１）は中心局１のＨＵＢ＃１のモデム５１（ＭＤ＃Ｈ１）と固定的に回線を確立しているためである。
このため、データは、ＶＳＡＴ２１（ＶＳＡＴ＃１）のモデム４１（ＭＤ＃Ｖ１）、および中心局１のモデム５１（ＭＤ＃Ｈ１）を経由し、中心局１のＨＵＢ＃１のＩＰルータ６１（ＲＴ＃Ｈ１）に転送される。
【００２２】
中心局１のＨＵＢ＃１のＩＰルータ６１（ＲＴ＃Ｈ１）では、データの目的アドレス（ＩＰ−Ａｄｄ＃Ｔ２）より宛先ネットワークがＶＳＡＴ２２（ＶＳＡＴ＃２）配下のＬＡＮ９２であることを知り、図５に示す中心局１のＨＵＢ＃１のＩＰルータ６１のルーティングテーブルを用いてＮＥＸＴホップルータを検索し、ＶＳＡＴ２２（ＶＳＡＴ＃２）のＬＡＮ９２に対してのデータ移送先としてＨＵＢ＃２のＩＰルータ６２（ＲＴ＃Ｈ２）を見つけ、地上ＬＡＮ７経由でＩＰルータ６２（ＲＴ＃Ｈ２）にデータを転送する。
【００２３】
データを転送されたＨＵＢ＃２のＩＰルータ６２（ＲＴ＃Ｈ２）は、同様に図７の中心局１のＨＵＢ＃２のＩＰルータ６２（ＲＴ＃Ｈ２）のルーティングテーブルを用いてＮＥＸＴホップルータを検索し、ＶＳＡＴ＃２（ＶＳＡＴ＃２）のＩＰルータ３２（ＲＴ＃Ｖ２）を転送先として見つけ、衛星網（ＭＤ＃Ｈ２〜ＭＤ＃Ｖ２）経由でＶＳＡＴ２２（ＶＳＡＴ＃２）のＩＰルータ３２（ＲＴ＃Ｖ２）にデータを転送する。
【００２４】
最終的にＶＳＡＴ２２（ＶＳＡＴ＃２）のＩＰルータ３２（ＲＴ＃Ｖ２）では、データの目的アドレス（ＩＰ−Ａｄｄ＃Ｔ２）が自身のＬＡＮ９２上にあるため、アドレス解決テーブル（もしくはアドレス解決プロトコル）にて目的端末（端末Ｔ＃２）のＭＡＣアドレス（ＭＡＣ−Ａｄｄ＃Ｔ２）を知り、該当端末（端末Ｔ＃２）にデータを転送することができる。
【００２５】
なお、図３〜図１０の各ルーティングテーブルやアドレス解決テーブルに登録される情報は静的に固定アサインされる場合とルーティングプロトコルやアドレス解決プロトコルでダイナミックに解決される場合をそれぞれ、スタティック／ダイナミックとタイプ分けし区別できるものとしている。
【００２６】
このように、第１実施の形態では、ＳＣＰＣ衛星通信におけるＩＰネットワークにおいて、衛星通信網のトポロジーを一つの中心局と複数のＶＳＡＴが通信を行うスター型とし、各ＶＳＡＴよりのデータを一端発信元ＶＳＡＴに対向する中心局側ＩＰルータに転送し、中心局側の地上ＬＡＮ経由で宛先ＶＳＡＴに対向した中心局側の別ＩＰルータに再転送し、その後目的となるＶＳＡＴに向けて再度衛星回線経由でデータを転送するこによりＶＳＡＴ−ＶＳＡＴ間通信を実現するようにしているので、ＳＣＰＣ型のＶＳＡＴ網において、ＶＳＡＴ−ＶＳＡＴのフルメッシュ通信を行う場合に必要となるＶＳＡＴ側モデム数および使用衛星チャネル数が各局送受信１個で済むことになる。
【００２７】
この点に関して、たとえば、仮にＶＳＡＴ数をＮ局（ただし、１＜Ｎ）とすると、ＶＳＡＴが直接ＶＳＡＴ−ＶＳＡＴ間通信を行ってフルメッシュ回線を構築するには、一般的には、各ＶＳＡＴには（Ｎ−１）個のモデムが必要となり、システム全体では、必要モデム数はＮ＊（Ｎ−１）個、必要チャネル数はＮ＊（Ｎ−１）本となる。
実用的な構成としては、Ｎの数が「１００〜１０００」となるシステムでは、フルメッシュ回線で、ＶＳＡＴ−ＶＳＡＴを直結するのは実用的ではない。
【００２８】
これに対して、この発明による第１実施の形態では、各ＶＳＡＴと対向する中心局のＨＵＢ側にそれぞれ１対のモデムがあればよく、必要モデム本数は（２＊Ｎ）個となり、必要チャネル数は（２＊Ｎ）本となる。
【００２９】
次ぎに、この発明の第２実施の形態について説明する。図１１はこの第２実施の形態の構成を示すブロック図である。
この図１１において、図１と同じ部分には同一符号を付して説明する。この図１１では、衛星通信路は図１の構成と同じく一つの中心局１の配下に複数のＶＳＡＴ２１（ＶＳＡＴ＃１）〜ＶＳＡＴ２ｎ（ＶＳＡＴ＃ｎ）が配置されるスター型ネットワークの形態を採っており、中心局１には複数のモデム５１〜５ｎと、複数のＤＡＭＡ接続部３１１〜３１ｎ、および複数のＩＰルータ６１〜６ｎが設けられている。
【００３０】
これら中心局１のモデム５１〜５ｎ、ＤＡＭＡ接続部３１１〜３１ｎ、ＩＰルータ６１〜６ｎの数はそれぞれ同数ずつ用意されるが、全ＶＳＡＴ２１（ＶＳＡＴ＃１）〜２ｎ（ＶＳＡＴ＃ｎ）の台数よりは少ないものとする。
さらに、中心局１はＣＳＣ（Ｃｏｍｍｏｎ  Ｓｉｇｎａｌｉｎｇ  Ｃｈａｎｎｅｌ）回線用モデム４００ａとＤＡＭＡ制御部４００ｂから構成されるＤＡＭＡコントローラ４００を有し、ＶＳＡＴ２１（ＶＳＡＴ＃１）〜２ｎ（ＶＳＡＴ＃ｎ）側のＤＡＭＡ接続部５１１〜５１ｎもしくは中心局１（ＨＵＢ）側のＤＡＭＡ接続部３１１〜３１ｎよりの要求により、任意のＶＳＡＴと任意の中心局１（ＨＵＢ）のモデムとの間に通信回線（通信帯域）の割り当ておよび解放を管理する機能を有する。
【００３１】
図１１において、各ＶＳＡＴ２１（ＶＳＡＴ＃１）〜２ｎ（ＶＳＡＴ＃ｎ）のモデム４１〜４ｎは中心局１側の特定のモデムと固定的な回線確立はされておらず、転送すべきデータの有無に応じ、中心局１が有する上述のＤＡＭＡコントローラ４００の仲介でダイナミックに中心局１（ＨＵＢ）のモデムの一つと通信回線が接続／切断される。
上記ＤＡＭＡコントローラ４００によって管理される中心局１（ＨＵＢ）のモデム５１〜５ｎはシェアード構成とし、回線未使用状態の中心局１（ＨＵＢ）のモデムの中から任意の中心局（ＨＵＢ）モデムをＤＡＭＡコントローラ４００が選択できる機構とする。
【００３２】
また、図１１において、各中心局１（ＨＵＢ）側のモデム５１〜５ｎの先に接続される各ＩＰルータ６１〜６ｎは地上側の一本のＬＡＮ７に接続され、一つの地上ネットワークを形成している。
さらに、各ＶＳＡＴ２１（ＶＳＡＴ＃１）〜ＶＳＡＴ２ｎ（ＶＳＡＴ＃ｎ）のＩＰルータ３１〜３ｎは地上側のＬＡＮ９１〜９ｎに接続され、
これらのＬＡＮ９１〜９ｎにそれぞれ接続される複数の端末１０１〜１０ｑ，１１１〜１１ｒ，２１１〜２１ｓからなるローカルなネットワークを形成している。
【００３３】
図１２はこの第２実施の形態におけるＶＳＡＴの構成を示すブロック図であり、図１３はこの第２実施の形態における中心局１（ＨＵＢ）の構成を示すブロック図である。
この図１２に示すように、各ＶＳＡＴ２０には１チャネルのモデム４０と一つのＤＡＭＡ接続部５１０、および一つのＩＰルータ３０が設けられている。
また、図１３に示すように、各中心局１（ＨＵＢ）には１チャネルのモデム５０と一つのＤＡＭＡ接続部３１０、および一つのＩＰルータ６０が設けられている。
【００３４】
中心局１側のＩＰルータ６０およびＶＳＡＴ側のＩＰルータ３０は、それぞれデータの目的アドレスより次に転送すべきＮＥＸＴホップルータを検索するためのルーティングテーブル(Ｒｏｕｔｉｎｇ  Ｔａｂｌｅ)６０ａ，３０ａと、自身が所属するネーットワーク上の各機器のＩＰアドレスとＭＡＣアドレスの対応を示すアドレス解決テーブル(Ａｄｄｒｅｓｓ  Ｒｅｓｏｌｕｔｉｏｎ  Ｔａｂｌｅ)６０ｂ，３０ｂを持ち、各データに対する転送先を検索して、地上側のＬＡＮもしくは衛星向きのモデム側に該当データを移送する機能を有する。
【００３５】
また、各ＩＰルータ６０，３０は自局が回線を確立している衛星回線路に転送すべき通信データが無く、一定時間使用されなかった場合には衛星回線を切断するために、回線未使用時間を測定する切断タイマ６０ｃ，３０ｃをそれぞれ有している。
【００３６】
次ぎに、この第２実施の形態の動作について図１４〜図３６を参照して説明する。
図１４はこの第２実施の形態が適用されるＳＣＰＣ衛星通信におけるＩＰネットワークシステムの構成説明図である。
この図１４において各ＶＳＡＴ２１〜２ｎ（ＶＳＡＴ＃１〜ＶＳＡＴ＃ｎ）のモデム４１〜４ｎ（ＭＤ＃Ｖ１〜ＭＤ＃Ｖｎ）と中心局１（ＨＵＢ）側のモデム５１〜５ｎ（ＭＤ＃Ｈ１〜ＭＤ＃Ｈｍ）とは、固定的には回線設定が確立していない。
また、モデムの数ｎとｍの関係は、ｎ＞ｍであり、全ＶＳＡＴ数ｎは中心局１のモデム５１〜５ｎの数ｍより多いものとする。
【００３７】
この図１４においては、ＶＳＡＴ２１（ＶＳＡＴ＃１）配下の任意端末よりＶＳＡＴ２３（ＶＳＡＴ＃３）配下の任意端末へのデータ転送をする場合の経路を示しているが、以下経路の確立方法について順を追って説明する。
図１５〜図２２は回線確立が行われていない初期段階での各ルーティングテーブルとアドレス解決テーブルの様子を示している。
【００３８】
具体的に図１５は、ＶＳＡＴ２１（ＶＳＡＴ＃１）のＩＰルータ３１(ＲＴ＃Ｖ１)が保有するルーティングテーブルを示す説明図であり、図１６はＶＳＡＴ２１（ＶＳＡＴ＃１）のアドレス解決テーブルの内容を示す説明図である。
図１７は中心局１におけるＨＵＢ＃１のＩＰルータ６１(ＲＴ＃Ｈ１)のルーティングテーブルを示す説明図であり、図１８はこのＨＵＢ＃１のアドレス解決テーブルの内容を示す説明図である。
【００３９】
図１９は中心局１におけるＨＵＢ＃２のＩＰルータ６２(ＲＴ＃Ｈ２)が保有するルーティングテーブルを示す説明図であり、図２０はこのＨＵＢ＃２のアドレス解決テーブルの内容を示す説明図である。
また、図２１はＶＳＡＴ２３（ＶＳＡＴ＃３）のＩＰルータ３３(ＲＴ＃Ｖ３)が保有するルーティングテーブルを示す説明図であり、図２２はこのＶＳＡＴ２３（ＶＳＡＴ＃３）のアドレス解決テーブルの内容を示す説明図である。
【００４０】
この図１５〜図２２の各テーブルにおいては、ＶＳＡＴ２ｎ（ＶＳＡＴ＃ｎ）のＩＰアドレスはＩＰ−Ａｄｄ＃Ｖｎ、ＭＡＣアドレスはＭＡＣ−Ａｄｄ＃Ｖｎと定義している。
同様に中心局１におけるＨＵＢ＃ｍのＩＰアドレスはＩＰ−Ａｄｄ＃Ｈｍ、ＭＡＣアドレスはＭＡＣ−Ａｄｄ＃Ｈｍと定義している。
また、ＶＳＡＴ２ｎ（ＶＳＡＴ＃１）配下の端末（Ｔ＃１）のＩＰアドレスはＩＰ−Ａｄｄ＃Ｔ１、ＭＡＣアドレスはＭＡＣ−Ａｄｄ＃Ｔ１と定義している。
【００４１】
同じく、ＶＳＡＴ２３（ＶＳＡＴ＃３）配下の端末（Ｔ＃３）のＩＰアドレスはＩＰ−Ａｄｄ＃Ｔ３、ＭＡＣアドレスはＭＡＣ−Ａｄｄ＃Ｔ３と定義している。
また、ＶＳＡＴ２１（ＶＳＡＴ＃１）配下の端末（Ｔ＃１）のＩＰアドレス（ＩＰ−Ａｄｄ＃Ｔ１）はＶＳＡＴ＃１のローカルネットワークに属するアドレス形態にしたがっており、同様にＶＳＡＴ２３（ＶＳＡＴ＃３）配下の端末（Ｔ＃３）のＩＰアドレス（ＩＰ−Ａｄｄ＃Ｔ３）はＶＳＡＴ２３（ＶＳＡＴ＃３）のローカルネットワークに属するアドレス形態に従って付与されているものとする。
【００４２】
図１４において、ＶＳＡＴ２１（ＶＳＡＴ＃１）配下のＬＡＮ９１に接続されている端末（Ｔ＃１）より、ＶＳＡＴ２３（ＶＳＡＴ＃３）配下のＬＡＮ９３に属する端末（Ｔ＃３）宛にデータを発行する場合、該当データが持つデスティネーション
（目的）アドレスはＶＳＡＴ２３（ＶＳＡＴ＃３）配下の端末（Ｔ＃３）のＩＰアドレス（ＩＰ−Ａｄｄ＃Ｔ３）となっており、図３２の処理の流れに沿って示す各機器間のインタフェースと、図３３のＩＰルータでのデータ受信時の処理フロー（中心局側、ＶＳＡＴ側の如何にかかわらず共通であり、また上記第１実施の形態におけるＩＰルータの動作も包含する）を参照して動作の流れを説明する。
まず、端末（Ｔ＃１）からのデータは衛星網ゲートウェイとして、ＶＳＡＴ２１（ＶＳＡＴ＃１）のＩＰルータ３１(ＲＴ＃Ｖ１)に転送される（図３２のステップＡ１）。
【００４３】
ＶＳＡＴ２１（ＶＳＡＴ＃１）のＩＰルータ３１(ＲＴ＃Ｖ１)においては、図１５のルーティングテーブルを参照し、ＮＥＸＴホップルータを決定するが、この時点においては衛星回線の確立がなされていないため、ルーティングテーブル上の衛星回線側へのＮＥＸＴホップルータはブランクとなっており、図１６に示すＶＳＡＴ２１（ＶＳＡＴ＃１）のアドレス解決テーブルの衛星ポートへのステータスはすべてＯＦＦとなっている。
そこで、ＶＳＡＴ２１（ＶＳＡＴ＃１）はＤＡＭＡ接続部５１１により中心局１側のＨＵＢの一つとの回線確立を試みる。
【００４４】
図２３はＶＳＡＴ２１（ＶＳＡＴ＃１）から中心局１（ＨＵＢ）に対する回線設定の流れを示している。
この図２３においては、まず、ＶＳＡＴ２１（ＶＳＡＴ＃１）のＤＡＭＡ接続部５１１よりＣＳＣ（Ｃｏｍｍｏｎ  Ｓｉｇｎａｌｉｎｇ  Ｃｈａｎｎｅｌ）回線０１を経由して回線設定要求が中心局１のＤＡＭＡコントローラ４００に送られる（図３２のステップＡ２）。
この図２３に示す各ＶＳＡＴには、１組のモデムしか装備されていないため、データ通信用の回線設定が確立されていない場合、各ＶＳＡＴのモデムはＣＳＣ回線に設定を合わせている。
【００４５】
中心局１（ＨＵＢ）のモデムはシェアード構成となっているため、ＶＳＡＴ２１（ＶＳＡＴ＃１）のＤＡＭＡ接続部５１１より回線設定要求を受けたＤＡＭＡコントローラ４００は、回線未使用状態のＨＵＢモデムの中から任意のＨＵＢモデムを選択する。
図２３の場合、中心局１におけるＨＵＢ＃１が選択され、ＤＡＭＡコントローラ４００はＣＳＣ回線０２を通してＶＳＡＴ２１（ＶＳＡＴ＃１）およびＨＵＢ＃１にデータ通信用の周波数／帯域を指定する。
【００４６】
ＶＳＡＴ２１（ＶＳＡＴ＃１）および中心局１におけるＨＵＢ＃１はＤＡＭＡコントローラ４００よりの回線設定指示にしたがい（図３２のステップＡ３，Ａ４）、それぞれのモデム４１（ＭＤ＃Ｖ１）およびモデム５１（ＭＤ＃Ｈ１）の設定を行い、ＶＳＡＴ２１（ＶＳＡＴ＃１）、中心局１におけるＨＵＢ＃１間でのデータ回線を確立する。
さらに、設定されたデータ回線を通して、それぞれのＩＰルータ３１（ＲＴ＃Ｖ１）、ＩＰルータ６１（ＲＴ＃Ｈ１）間で、ルーティング情報を交換する（図３２のステップＡ５，Ａ６）。
また、各ＩＰルータ６１、ＩＰルータ３１は地上側にも衛星回線が繋がった諭旨の経路情報を同報で通知する。
【００４７】
以上の手順によりＶＳＡＴ２１（ＶＳＡＴ＃１）のＩＰルータ５１１（ＲＴ＃Ｖ１）が保有するルーティングテーブルとアドレス解決テーブルの内容はそれぞれ図２４、図２５のようになり、ルーティングテーブル上の衛星回線側へのＮＥＸＴホップルータはすべてＨＵＢ＃１のルータ（ＲＴ＃Ｈ１）に指定され、アドレス解決テーブル上のＨＵＢ＃１への衛星ポートステータスはＯＮに変化する。
【００４８】
以上によりＶＳＡＴ２１（ＶＳＡＴ＃１）が保有するＶＳＡＴ２３（ＶＳＡＴ＃３）のＬＡＮ９３宛への通信データは、ＶＳＡＴ２１（ＶＳＡＴ＃１）のモデム４１（ＭＤ＃Ｖ１）、および中心局１のモデム５１（ＭＤ＃Ｈ１）を経由し、中心局１におけるＨＵＢ＃１のＩＰルータ６１（ＲＴ＃Ｈ１）に転送される（図３２のステップＡ７）。
【００４９】
中心局１におけるＨＵＢ＃１のＩＰルータ６１（ＲＴ＃Ｈ１）では、データの目的アドレス（ＩＰ−Ａｄｄ＃Ｔ３）より宛先ネットワークがＶＳＡＴ２３（ＶＳＡＴ＃３）配下のＬＡＮ９３であることを知り、図１７のルーティングテーブルを用いてＶＳＡＴ２３（ＶＳＡＴ＃３）のＬＡＮ９３に対してのデータ移送先となるＮＥＸＴホップルータを検索するが、ＶＳＡＴ２３（ＶＳＡＴ＃３）と衛星回線を確立しているＨＵＢがまだ存在していないため、ルーティングテーブルでの検索は失敗する（図３３のステップＢ１）。
【００５０】
中心局１におけるＨＵＢ＃１は既にＶＳＡＴ２１（ＶＳＡＴ＃１）と衛星回線は確立しているため、直接、ＶＳＡＴ２３（ＶＳＡＴ＃３）との回線確立を行うことはできない。
そのため、アドレス解決テーブルを用いて、現在衛星回線を未使用である他のＨＵＢを検索し、通信データの移送を試みる。
図１８に示すＨＵＢ＃１のアドレス解決テーブル場合、地上ポートで接続されているＨＵＢ＃２〜ＨＵＢ＃ｍはすべてステイタスがＯＦＦとなっているため、この内ＨＵＢ＃２を移送先に選択し、ＨＵＢ＃２のＩＰルータ６２（ＲＴ＃Ｈ２）にデータの転送を行う（図３２のステップＡ８）。
【００５１】
データを転送されたＨＵＢ＃２のＩＰルータ６２（ＲＴ＃Ｈ２）は、同様に図１９のルーティングテーブルを用いてＶＳＡＴ２３（ＶＳＡＴ＃３）のＬＡＮ９３へのＮＥＸＴホップルータを検索するが、やはりこの時点でＶＳＡＴ２３（ＶＳＡＴ＃３）と衛星回線を確立しているＨＵＢがまだ存在していないため、ルーティングテーブルの検索は失敗する（図３３のステップＢ１）。
ＨＵＢ＃２においては自身の衛星回線が未使用状態であるため、自身がＶＳＡＴ２３（ＶＳＡＴ＃３）と直接回線接続を行うべく、ＨＵＢ＃２のＤＡＭＡ接続部３１２より中心局１のＤＡＭＡコントローラ４００に対してＶＳＡＴ２３（ＶＳＡＴ＃３）との回線確立を要求する（図３３のステップＢ３）。
【００５２】
ＨＵＢ＃２からＶＳＡＴ２３（ＶＳＡＴ＃３）への回線設定の流れは上述のＶＳＡＴ２１（ＶＳＡＴ＃１）−ＨＵＢ＃１間の回線設定と同様に、中心局１のＤＡＭＡコントローラ４００にＨＵＢ＃２より回線設定要求が行われることにより（図３２のステップＡ９、図３３のステップＢ４）、ＤＡＭＡコントローラ４００よりＨＵＢ＃２とＶＳＡＴ２３（ＶＳＡＴ＃３）に周波数と帯域の指示がなされる（図３２のステップＡ１０，Ａ１１）。
ＨＵＢ＃２とＶＳＡＴ２３（ＶＳＡＴ＃３）の間で回線設定がなされると、ＨＵＢ＃２のＩＰルータ６２（ＲＴ＃Ｈ２）と、ＶＳＡＴ２３（ＶＳＡＴ＃３）のＩＰルータ３３（ＲＴ＃Ｖ３）と間はルーティング情報を交換する（図３２のステップＡ１２，Ａ１３、図３３のステップＢ５）。
さらに、ＩＰルータ６２（ＲＴ＃Ｈ２）、ＩＰルータ３３（ＲＴ＃Ｖ３）の各ＩＰルータは地上側にも衛星回線が繋がった旨の経路情報を同報で通知する。
【００５３】
以上の手順によりＨＵＢ＃１のＩＰルータ６１（ＲＴ＃Ｈ１）、ＨＵＢ＃２のＩＰルータ６２（ＲＴ＃Ｈ２）、ＶＳＡＴ２３（ＶＳＡＴ＃３）のＩＰルータ３３（ＲＴ＃Ｖ３）のそれぞれが保有するルーティングテーブルとアドレス解決テーブルの内容はそれぞれ図２６と図２７、図２８と図２９、図３０と図３１のようになる（図３３のステップＢ６）。
【００５４】
また、この時点で、ＶＳＡＴ２１（ＶＳＡＴ＃１）−ＨＵＢ＃１間、およびＶＳＡＴ２３（ＶＳＡＴ＃３）−ＨＵＢ＃２間の衛星回線の確立が、他ＨＵＢのＩＰルータ６３(ＲＴ＃３)〜ＩＰルータ６ｎ（ＲＴ＃ｍ)にも上述の経路情報通知で同報されているため（図３３のステップＢ５）、以後、任意のＶＳＡＴネットワークよりＶＳＡＴ２１（ＶＳＡＴ＃１）もしくはＶＳＡＴ２３（ＶＳＡＴ＃３）を宛先とするデータ送信が発生した場合、中心局１の全ＩＰルータ６１（ＲＴ＃Ｈ１）〜ＩＰルータ６ｎ（ＲＴ＃Ｈｍ）は自身のルーティングテーブルを用いてＨＵＢ＃１もしくはＨＵＢ＃２への転送を行うことができる。
【００５５】
衛星回線が確立したＨＵＢ＃２はＶＳＡＴ２３（ＶＳＡＴ＃３）向けのデータを衛星回線（ＭＤ＃Ｈ２〜ＭＤ＃Ｖ３）経由でＶＳＡＴ２３（ＶＳＡＴ＃３）のＩＰルータ３３（ＲＴ＃Ｖ３）に転送する。
最終的にＶＳＡＴ２３（ＶＳＡＴ＃３）のＩＰルータ３３（ＲＴ＃Ｖ３）では、データの目的アドレス（ＩＰ−Ａｄｄ＃Ｔ３）が自身のＬＡＮ９３上にあるため、アドレス解決テーブル（もしくはアドレス解決プロトコル）にて目的端末（Ｔ＃３）のＭＡＣアドレス（ＭＡＣ−Ａｄｄ＃Ｔ３）を知り、該当端末（Ｔ＃３）にデータを転送する（図３２のステップＡ１５）。
【００５６】
なお、図１５、図１７、図１９、図２１、図２４、図２６、図２８、図３０の各ルーティングテーブルや、図１６、図１８、図２０、図２２、図２５、図２７、図２９、図３１のアドレス解決テーブルに登録される情報は静的に固定アサインされる場合とルーティングプロトコルやアドレス解決プロトコルでダイナミックに解決される場合、またＮＥＸＴホップの書き換えがあるものをそれぞれ、スタティック／ダイナミック／アルタレーションとタイプ分けし、区別できるものとしている。
【００５７】
この第２実施の形態においては上述のように全ＶＳＡＴ数ｎは中心局１のモデムの数ｍより多いと仮定し、各ＶＳＡＴと各ＨＵＢ間のコネクションはデータ量の変化によりダイナミックに変化するため、ＨＵＢ側の全モデムが使用中の場合や、複数端末より同時に同一デスティネーションへの経路確立動作があった場合、また各ＩＰルータへの経路情報の伝搬遅延差や未使用経路判断結果として同一機器に異デスティネーションデータが転送された場合などは、図３３のフローチャートにおいて、結果として、自衛星回線および地上迂回での他衛星回線が占有された状態としてデータの廃棄が発生するが（図３３のステップＢ９）、これらのデータ異常の復旧に関しては、ＩＰプロトコルの特性として、すべて上位プロトコル（ＴＣＰ）の再送／回復動作に頼るものとする。
【００５８】
さらに、図３４はこの第２実施の形態におけるＩＰルータでの経路情報受信時の処理フローである。ＩＰルータでの経路情報受信の契機は、上述の説明の通り、他ＩＰルータにて回線の設定／解除が行われた場合、および他ＩＰルータ上のルーティングプロトコルが定期的に経路情報を発行する場合が考えられる。
上記図３３のフローチャートにおけるステップＢ５での処理により、ルーティング情報を配信して、ルーティング情報を受信すると（図３４のステップＣ１）、図３３に示すステップＢ６のテーブル更新の処理を行い（図３４のステップＣ２）、アドレス解決プロトコルテーブルの更新を行う（図３４のステップＣ３）。
【００５９】
また、図３５は通信回線解除に対する処理フローを示している。図１２、図１３に示すように、ＶＳＡＴ側およびＨＵＢ側の各ＩＰルータ３０，６０は自局が回線を確立している衛星回線路に転送すべき通信データが無く、一定時間使用されなかった場合には、衛星回線を切断するための切断用のタイマ３０ｃ，６０ｃを有している。
ＶＳＡＴ側のタイマは図１２にＩＰルータ３０のタイマ３０ｃが示されており、ＨＵＢ側のＩＰルータは図１３において、ＩＰルータ６０のタイマ６０ｃとして示されている。
【００６０】
このタイマは、衛星回線の使用がある度に（図３５のステップＤ１）再設定され（図３５のステップＤ２）、図３６に示すＨＵＢ側での通信回線解除に対する処理フローにおいて、タイマがタイムアウトした場合は（図３６のステップＥ１）衛星回線が未使用状態になったと判断される（図３６のステップＥ２）。
この場合、ＶＳＡＴおよびＨＵＢはそれぞれのＤＡＭＡ接続部よりＤＡＭＡコントローラ４００に回線設定の解除および帯域の解放を通知する。
ＤＡＭＡコントローラ４００では、ＶＳＡＴおよびＨＵＢの双方のＤＡＭＡ接続部よりの回線解放通知を受信することにより、使用していた周波数帯域を解放し再利用に向けて管理する。
【００６１】
このように、第２実施の形態では、ＤＡＭＡ機能により中心局側のモデムと衛星チャネルを再利用するようにしているから、使用モデム数とチャネル数をさらに軽減することができ、ＶＳＡＴ数をＮ（ただし１＜Ｎ）、中心局のモデム数をＭ（ただし１＜Ｍ、Ｍ＝＜Ｎ）の場合、必要モデム数および必要チャネル数はそれぞれ（Ｍ＋Ｎ）個、（Ｍ＋Ｎ）本で済む。
【００６２】
【発明の効果】
以上のように、この発明によれば、ＳＣＰＣ衛星通信におけるＩＰネットワークにおいて、衛星通信網のトポロジーを一つの中心局と複数のＶＳＡＴが通信を行うスター型とし、各ＶＳＡＴよりのデータを、一旦発信元ＶＳＡＴに対向する中心局側ＩＰルータに転送し、中心局側の地上ＬＡＮ経由で宛先ＶＳＡＴに対向した中心局側の別ＩＰルータに再転送し、その後、目的となるＶＳＡＴに向けて再度衛星回線経由でデータを転送するとともに、ＤＡＭＡ機能を有するＳＣＰＣ型ＶＳＡＴ網に適用し、中心局側および各ＶＳＡＴのＤＡＭＡ機能により、中心局側モデムおよび衛星チャネルを再利用して、ＶＳＡＴ側のＤＡＭＡ接続部もしくは中心局側のＤＡＭＡ接続部からの要求に応じて、任意のＶＳＡＴと任意の中心局モデムとの間に通信回線（通信帯域）の割り当ておよび解放を管理し、各ＶＳＡＴのモデムは中心局側の特定のモデムと固定的な回線確立はされておらず、転送すべきデータの有無に応じ、中心局が有するＤＡＭＡコントローラの仲介でダイナミックに中心局モデムの一つと通信回線が接続／切断されるようにしたので、中心局に用意されるモデム数以上のＶＳＡＴネットワークを収容することができ、各ＶＳＡＴ配下の任意の端末がすべてのＶＳＡＴは配下の任意の端末とメッシュ通電を行うことができるとともに、使用モデム数、およびチャネル数をさらに軽減することができる。
【図面の簡単な説明】
【図１】この発明によるＳＣＰＣ衛星通信におけるＩＰネットワークシステムの第１実施の形態の構成を示す部ロック図である。
【図２】この発明による第１実施の形態が適用されるＳＣＰＣ衛星通信におけるＩＰネットワークシステムの構成説明図である。
【図３】図２に示すＳＣＰＣ衛星通信におけるＩＰネットワークシステムにおけるＶＳＡＴ＃１のＩＰルータ(ＲＴ＃Ｖ１)が保有するルーティングテーブルの内容を示す説明図である。
【図４】図２に示すＳＣＰＣ衛星通信におけるＩＰネットワークシステムにおけるＶＳＡＴ＃１のアドレス解決テーブルの内容を示す説明図である。
【図５】図２に示すＳＣＰＣ衛星通信におけるＩＰネットワークシステムにおけるＨＵＢ＃１のＩＰルータ(ＲＴ＃Ｈ１)が保有するルーティングテーブルの内容を示す説明図である。
【図６】図２に示すＳＣＰＣ衛星通信におけるＩＰネットワークシステムにおけるＨＵＢ＃１のアドレス解決テーブルの内容を示す説明図である。
【図７】図２に示すＳＣＰＣ衛星通信におけるＩＰネットワークシステムにおけるＨＵＢ＃２のＩＰルータ(ＲＴ＃Ｈ２)が保有するルーティングテーブルの内容を示す説明図である。
【図８】図２に示すＳＣＰＣ衛星通信におけるＩＰネットワークシステムにおけるＨＵＢ＃２のアドレス解決テーブルの内容を示す説明図である。
【図９】図２に示すＳＣＰＣ衛星通信におけるＩＰネットワークシステムにおけるＶＳＡＴ＃２のＩＰルータ(ＲＴ＃Ｖ２)が保有するルーティングテーブルの内容を示す説明図である。
【図１０】図２に示すＳＣＰＣ衛星通信におけるＩＰネットワークシステムにおけるＶＳＡＴ＃２のアドレス解決テーブルの内容を示す説明図である。
【図１１】この発明によるＳＣＰＣ衛星通信におけるＩＰネットワークシステムの第２実施の形態の構成を示すブロック図である。
【図１２】この発明によるＳＣＰＣ衛星通信におけるＩＰネットワークシステムの第２実施の形態に適用されるＶＳＡＴ装置の構成を示すブロック図である。
【図１３】この発明によるＳＣＰＣ衛星通信におけるＩＰネットワークシステムの第２実施の形態に適用される中心局（ＨＵＢ）側装置の構成を示すブロック図である。
【図１４】この発明によるＳＣＰＣ衛星通信におけるＩＰネットワークシステムの第２実施の形態に適用されるＳＣＰＣ衛星通信におけるＩＰネットワークシステムの構成説明図である。
【図１５】図１４に示すＳＣＰＣ衛星通信におけるＩＰネットワークシステムにおけるＶＳＡＴ＃１のＩＰルータ(ＲＴ＃Ｖ１)が保有するルーティングテーブル（通信回線確立前）の内容を示す説明図である。
【図１６】図１４に示すＳＣＰＣ衛星通信におけるＩＰネットワークシステムにおけるＶＳＡＴ＃１のアドレス解決テーブル（通信回線確立前）の内容を示す説明図である。
【図１７】図１４に示すＳＣＰＣ衛星通信におけるＩＰネットワークシステムにおけるＨＵＢ＃１のＩＰルータ(ＲＴ＃Ｈ１)が保有するルーティングテーブル（通信回線確立前）の内容を示す説明図である。
【図１８】図１４に示すＳＣＰＣ衛星通信におけるＩＰネットワークシステムにおけるＨＵＢ＃１のアドレス解決テーブル（通信回線確立前）の内容を示す説明図である。
【図１９】図１４に示すＳＣＰＣ衛星通信におけるＩＰネットワークシステムにおけるＨＵＢ＃２のＩＰルータ(ＲＴ＃Ｈ２)が保有するルーティングテーブル（通信回線確立前）の内容を示す説明図である。
【図２０】図１４に示すＳＣＰＣ衛星通信におけるＩＰネットワークシステムにおけるＨＵＢ＃２のアドレス解決テーブル（通信回線確立前）の内容を示す説明図である。
【図２１】図１４に示すＳＣＰＣ衛星通信におけるＩＰネットワークシステムにおけるＶＳＡＴ＃３のＩＰルータ(ＲＴ＃Ｖ３)が保有するルーティングテーブル（通信回線確立前）の内容を示す説明図である。
【図２２】図１４に示すＳＣＰＣ衛星通信におけるＩＰネットワークシステムにおけるＶＳＡＴ＃３のアドレス解決テーブル（通信回線確立前）の内容を示す説明図である。
【図２３】図１４に示すＳＣＰＣ衛星通信におけるＩＰネットワークシステムにおけるＶＳＡＴ＃１から中心局ＨＵＢに対するＤＡＭＡ回線設定の手順を示す説明図である。
【図２４】図１４に示すＳＣＰＣ衛星通信におけるＩＰネットワークシステムにおけるＶＳＡＴ＃１のＩＰルータ(ＲＴ＃Ｖ１)が保有するルーティングテーブル（通信回線確立後）の内容を示す説明図である。
【図２５】図１４に示すＳＣＰＣ衛星通信におけるＩＰネットワークシステムにおけるＶＳＡＴ＃１のアドレス解決テーブル（通信回線確立後）の内容を示す説明図である。
【図２６】図１４に示すＳＣＰＣ衛星通信におけるＩＰネットワークシステムにおけるＨＵＢ＃１のＩＰルータ(ＲＴ＃Ｈ１)が保有するルーティングテーブル（通信回線確立後）の内容を示す説明図である。
【図２７】図１４に示すＳＣＰＣ衛星通信におけるＩＰネットワークシステムにおけるＨＵＢ＃１のアドレス解決テーブル（通信回線確立後）の内容を示す説明図である。
【図２８】図１４に示すＳＣＰＣ衛星通信におけるＩＰネットワークシステムにおけるＨＵＢ＃２のＩＰルータ(ＲＴ＃Ｈ２)が保有するルーティングテーブル（通信回線確立後）の内容を示す説明図である。
【図２９】図１４に示すＳＣＰＣ衛星通信におけるＩＰネットワークシステムにおけるＨＵＢ＃２のアドレス解決テーブル（通信回線確立後）の内容を示す説明図である。
【図３０】図１４に示すＳＣＰＣ衛星通信におけるＩＰネットワークシステムにおけるＶＳＡＴ＃３のＩＰルータ(ＲＴ＃Ｖ３)が保有するルーティングテーブル（通信回線確立後）の内容を示す説明図である。
【図３１】図１４に示すＳＣＰＣ衛星通信におけるＩＰネットワークシステムにおけるＶＳＡＴ＃３のアドレス解決テーブル（通信回線確立後）の内容を示す説明図である。
【図３２】この発明によるＳＣＰＣ衛星通信におけるＩＰネットワークシステムの第２実施の形態の処理の流れに沿って示す各機器間のインターフェースを示す説明図である。
【図３３】この発明によるＳＣＰＣ衛星通信におけるＩＰネットワークシステムの第１および第２実施の形態における各ＩＰルータのデータ受信時の処理フローを示すフローチャートである。
【図３４】この発明によるＳＣＰＣ衛星通信におけるＩＰネットワークシステムの第１および第２実施の形態における各ＩＰルータでの経路情報受信時の処理フローを示すフローチャートである。
【図３５】この発明によるＳＣＰＣ衛星通信におけるＩＰネットワークシステムの各ＶＳＡＴ側での通信回線解除に対する処理フローを示すフローチャートである。
【図３６】この発明によるＳＣＰＣ衛星通信におけるＩＰネットワークシステムのＨＵＢ側での通信回線解除に対する処理フローを示すフローチャートである。
【符号の説明】
０１〜０３……ＣＳＣ回線、１……中心局（ＨＵＢ）、２０，２１〜２ｎ……ＶＳＡＴ、３０，３１〜３ｎ……ＶＳＡＴのＩＰルータ、３０ａ……ＶＳＡＴ側のルーティングテーブル、３０ｂ……ＶＳＡＴ側のアドレス解決テーブル、３０ｃ……ＶＳＡＴ側のタイマ、４０，４１〜４ｎ……ＶＳＡＴのモデム、５０，５１〜５ｎ……中心局のモデム、６０，６１〜６ｎ……中心局のＩＰルータ、６０ａ……中心局側のルーティングテーブル、６０ｂ……アドレス解決テーブル、６０ｃ……中心局側のタイマ、７……中心局側のＬＡＮ、８１〜８ｎ……中心局の端末、９１〜９ｎ……ＶＳＡＴ配下のＬＡＮ、１０１〜１０ｎ，１１１〜１１ｎ、２１１〜２１ｎ……ＶＳＡＴ側の端末、３１０，３１１〜３１ｎ……中心局側のＤＡＭＡ接続部、４００……ＤＡＭＡコントローラ、４００ａ……ＣＳＣ回線用モデム、４００ｂ……ＤＡＭＡ制御部、５１０、５１１〜５１ｎ……ＶＳＡＴ側のＤＡＭＡ接続部。
【図１】
0003653722.tif 000002
【図２】
0003653722.tif 000003
【図３】
0003653722.tif 000004
【図４】
0003653722.tif 000005
【図５】
0003653722.tif 000006
【図６】
0003653722.tif 000007
【図７】
0003653722.tif 000008
【図８】
0003653722.tif 000009
【図９】
0003653722.tif 000010
【図１０】
0003653722.tif 000011
【図１１】
0003653722.tif 000012
【図１２】
0003653722.tif 000013
【図１３】
0003653722.tif 000014
【図１４】
0003653722.tif 000015
【図１５】
0003653722.tif 000016
【図１６】
0003653722.tif 000017
【図１７】
0003653722.tif 000018
【図１８】
0003653722.tif 000019
【図１９】
0003653722.tif 000020
【図２０】
0003653722.tif 000021
【図２１】
0003653722.tif 000022
【図２２】
0003653722.tif 000023
【図２３】
0003653722.tif 000024
【図２４】
0003653722.tif 000025
【図２５】
0003653722.tif 000026
【図２６】
0003653722.tif 000027
【図２７】
0003653722.tif 000028
【図２８】
0003653722.tif 000029
【図２９】
0003653722.tif 000030
【図３０】
0003653722.tif 000031
【図３１】
0003653722.tif 000032
【図３２】
0003653722.tif 000033
【図３３】
0003653722.tif 000034
【図３４】
0003653722.tif 000035
【図３５】
0003653722.tif 000036
【図３６】
0003653722.tif 000037